(57)【要約】【課題】  容易かつ安全に嚥下訓練を行なうことのできる嚥下障害リハビリ訓練器を提供すること。【解決手段】  使用者が把持する把持部１０と、この把持部１０の先端側に連設され口唇内に挿入可能とされている彎曲状の保護部２０と、この保護部２０に連設され口腔内に挿入可能とされているスプーン状の刺激部３０とを有するもの。【選択図】      図１
2007319303.tif 000002
【特許請求の範囲】
【請求項１】
使用者が把持する把持部と、この把持部の先端側に連設され口唇内に挿入可能とされている彎曲状の保護部と、この保護部に連設され口腔内に挿入可能とされているスプーン状の刺激部とを有していることを特徴とする嚥下障害リハビリ訓練器。
【請求項２】
全体が弾性材料により一体に形成されていることを特徴とする請求項１に記載の嚥下障害リハビリ訓練器。
【請求項３】
前記刺激部の凹曲面には、舌を刺激する突起が形成されていることを特徴とする請求項１または請求項２に記載の嚥下障害リハビリ訓練器。
【請求項４】
前記把持部には、指を挿入可能とされた上下方向の開口が形成されており、この開口の少なくとも一方の周縁には、筒部が突設されていることを特徴とする請求項１ないし請求項３のいずれか１項に記載の嚥下障害リハビリ訓練器。
【発明の詳細な説明】
【技術分野】
【０００１】
本発明は、嚥下障害者のためのリハビリを行う嚥下障害リハビリ訓練器に係り、特に、介護者あるいは本人が容易かつ安全に嚥下反射訓練を行なうことのできる嚥下障害リハビリ訓練器に関する。
【背景技術】
【０００２】
一般に、嚥下障害とは、痴呆などの知的障害により食べ物を認知できなかったり、あるいは、どのような性状の物であるか判断できず嚥下を正常に行なうことができないという障害や、筋力低下などの機能障害により、口輪筋、舌筋、頬筋、咀嚼筋等が充分に活動することができず、このため、食塊を作ることができなかったり、食塊をうまく咽頭へと送り込めないという障害が該当する。
【０００３】
このような嚥下障害に対して、筋力低下などの機能障害による場合には、口輪筋、舌筋、頬筋、咀嚼筋等の筋力を増強するため、発声による訓練や、軟口蓋（特に口蓋弓）、舌根部、咽頭後壁などの嚥下反射誘発部位に刺激を与えることにより嚥下を誘発させるという訓練が行なわれている。
【０００４】
なお、嚥下反射誘発部位に刺激を与える方法としては、主に、スプーンや綿棒の先端の綿花を冷水により冷やして嚥下反射誘発部位を刺激したり、ゴム手袋等を装着したセラピストが指により直接嚥下反射誘発部位を刺激する方法が行なわれている。
【０００５】
また、近年、嚥下障害者の嚥下を促すとともに、嚥下に使用される筋力の基礎訓練を行なうことのできる嚥下障害補助具が考案されている。
【０００６】
このような従来の嚥下障害補助具の一例としては、歯列状に彎曲させた概ね三日月形薄板状の補助具本体と、補助具本体の前面のほぼ中央から前方へと突出させた棒状の操作部とがシリコン系弾性材料から一体に形成されているものがある。
【０００７】
前記補助具本体のおおむね円弧状の下方縁には、前方へ若干隆起するように厚肉とした隆起部が設けられており、この隆起部は、口腔内の皮膚や粘膜に損傷を負わせないよう、断面がおおむね半円形状とされている。また、前記補助具本体の上方縁にも丸みが付けられており、前記補助具本体には、全体的に口腔内を傷付け得るような角や縁などがなく、シリコン系弾性材料と相俟って口腔内の使用における安全性が確保されている。
【０００８】
前記嚥下障害補助具は、前記補助具本体が患者の下唇と下方歯茎との間に挿入され、これらの部位に緩やかに挟み付けられるようにして支持されるとともに、前記操作部が患者の口から口腔外へと突出されるようになっている。なお、前記補助具本体の下唇と下方歯茎との間への挿入は、前記下方縁が下唇と下方歯茎との間の底に達するか、前記操作部が下唇に接するまでとなっている。
【０００９】
また、前記補助具本体が患者の下前歯を完全に覆い、前記上方縁が下前歯の上端を２〜３ｍｍ程度上回る位置となるとともに、前記補助具本体の左右両端が患者の奥歯に届くか届かない程度の位置となっている。なお、前記操作部を上下唇間に挟んで口を完全に閉じることができるようになっている。
【００１０】
このような構成からなる嚥下障害補助具の使用方法としては、まず、介護者が前記操作部を下方へ移動させて補助具本体を患者の下顎とともに押し下げ、患者の口を開けさせた後、食物をスプーンで口腔内に運び入れる。
【００１１】
つぎに、前記操作部を上方へ移動させて補助具本体を押し上げ、患者の口を閉じさせる。この上方への動作の際、隆起部が患者の下唇に接触して、補助具本体がセット状態から上方へ外れないように抵抗するようになっている。
【００１２】
また、補助具本体は口が完全に閉じる手前においてすでに口を閉じさせるため、食物や唾液の口腔外への漏出を防ぐようになっている。
【００１３】
つぎに、前記操作部を適宜移動させて、補助具本体を介して患者の唾液線を刺激して唾液の分泌を促進させたり、口腔内所要部位をマッサージすることにより、嚥下を促す。なお、前記操作部および補助具本体の前後動に伴い、患者の頬を収縮させたり、拡大させることができるため、食物の口腔内の左右頬側の残留をなくし、食物を飲み込ませることができる。
【００１４】
また、このようにして嚥下を補助することにより、嚥下に使用される筋力の訓練を行えるようになっている（例えば、特許文献１参照）。
【００１５】
【特許文献１】特開平１０−２１１２６０号公報
【発明の開示】
【発明が解決しようとする課題】
【００１６】
しかしながら、前述した嚥下補助具による嚥下訓練は、嚥下補助具本体が患者の下唇と下前歯および下方歯茎との間に挿入され、嚥下補助具本体の左右の端部が両奥歯に届くか届かない程度に位置するようになっているため、操作部を任意に操作したとしても、軟口蓋、舌根部、咽頭後壁などの嚥下反射誘発部位に刺激を与えることができず、嚥下を確実に促すことができないという問題があった。
【００１７】
また、従来のセラピストが指により直接刺激を行なう方法は、嚥下反射誘発部位を刺激して誘発される反射は力が強いため、セラピストの指が噛まれてしまうという危険があった。
【００１８】
本発明はこのような問題点に鑑みてなされたもので、介護者、セラピストあるいは嚥下障害者本人が容易かつ安全に嚥下訓練を行なうことのできる嚥下障害リハビリ訓練器を提供することを目的とするものである。
【課題を解決するための手段】
【００１９】
前述した目的を達成するため、本発明の請求項１に係る嚥下障害リハビリ訓練器の特徴は、使用者が把持する把持部と、この把持部の先端側に連設され口唇内に挿入可能とされている彎曲状の保護部と、この保護部に連設され口腔内に挿入可能とされているスプーン状の刺激部とを有している点にある。そして、このような構成を採用したことにより、介護者、セラピストあるいは嚥下障害者本人が嚥下障害リハビリ訓練器の把持部を把持し、嚥下障害者の口を開いて嚥下障害リハビリ訓練器の刺激部および保護部を挿入する。そして、保護部を口唇と歯茎部との間に位置させておき、刺激部の凹曲面を舌の上に載置して、把持部を上下に揺動させることにより、刺激部が舌を押圧するとともに、保護部が口唇および歯茎部を刺激して、唾液の分泌を促進することができる。
【００２０】
本発明の請求項２に係る嚥下障害リハビリ訓練器の特徴は、全体が弾性材料により一体に形成されている点にある。そして、このような構成を採用したことにより、嚥下障害リハビリ訓練器を使用する嚥下障害者にとって安全性が増すことになる。
【００２１】
本発明の請求項３に係る嚥下障害リハビリ訓練器の特徴は、前記刺激部の凹曲面に、舌を刺激する突起が形成されている点にある。そして、このような構成を採用したことにより、突起により舌をさらに刺激して唾液の分泌を促進することができる。
【００２２】
本発明の請求項４に係る嚥下障害リハビリ訓練器の特徴は、前記把持部に、指を挿入可能とされた上下方向の開口が形成されており、この開口の少なくとも一方の周縁に、筒部が突設されている点にある。そして、このような構成を採用したことにより、嚥下障害リハビリ訓練器をテーブルの上などに載置する際に、保護部ならびに刺激部をテーブルの上面に接着することなく載置でき、衛生面において好ましい。
【発明の効果】
【００２３】
以上説明したように本発明の嚥下障害リハビリ訓練器によれば、介護者、セラピストあるいは嚥下障害者本人が容易かつ安全に嚥下訓練を行なうことができる。
【００２４】
すなわち、本発明の嚥下障害リハビリ訓練器は、使用者が把持する把持部と、この把持部の先端側に連設され口唇内に挿入可能とされている彎曲状の保護部と、この保護部の先端側に連設され口腔内に挿入可能とされているスプーン状の刺激部とを有しているので、刺激部の凹曲面を舌の上に載置して、把持部を上下に揺動させることにより、刺激部が舌を押圧するとともに保護部が口唇を刺激して、唾液の分泌を促進することができ、嚥下障害者を症状を緩和することができる。
【００２５】
また、全体を弾性材料により一体に形成すれば、嚥下障害リハビリ訓練器を使用する嚥下障害者にとって安全性が増すことになり、さらに安全に嚥下訓練を行なうことができる。
【００２６】
さらに、前記刺激部の凹曲面に、舌を刺激する突起を形成すれば、突起により舌をさらに刺激して唾液の分泌を促進することができる。
【００２７】
さらにまた、前記把持部に、指を挿入可能とされた上下方向の開口を形成し、この開口の少なくとも一方の周縁に、筒部を突設すれば、嚥下障害リハビリ訓練器をテーブルの上などに載置する際に、保護部をテーブルの上面に接着することなく載置でき、口に入れる保護部を清潔に維持できるので、衛生面において好ましい。
【発明を実施するための最良の形態】
【００２８】
本実施形態の嚥下障害リハビリ訓練器１は、図１〜図５に示すように、全体をシリコンゴムのような弾性材料により全体的に弾性ならびに可撓性を有するように形成されている。
【００２９】
前記嚥下障害リハビリ訓練器１は、使用者が把持する把持部１０と、この把持部１０の先端側に連設され口唇内に挿入可能とされている彎曲状の保護部２０と、この保護部２０の先端側に連設され口腔内に挿入可能とされているスプーン状の刺激部３０とを有しており、前述した把持部１０、保護部２０および刺激部３０は、嚥下障害リハビリ訓練器１の長手方向に連接されている。
【００３０】
前記把持部１０は、本実施形態において嚥下障害リハビリ訓練器１の全長のほぼ６割強の長さに形成されているが、この割合に限定されるものではない。
【００３１】
前記把持部１０は、それぞれ平面状の上面１１および下面１２を有する平板状に形成されており、この把持部１０の基端部には、上面１１および下面１２を貫通する円形の開口１３が幅方向の中央部に形成されている。長手方向において前記把持部１０の開口１３より中央側の両側面には、指を掛けやすくするためそれぞれ凹状の彎曲部１４，１４が形成されている。
【００３２】
前記彎曲部１４，１４より前記保護部２０側には、前記開口１３より大径とされ上面１１および下面１２を貫通する円形の開口１５が幅方向の中央部に形成されている。前記上面１１における前記開口１５の周縁には、筒部の一例としての斜切円筒１６が突設されており、この斜切円筒１６は、前記保護部２０側ほど高さが高くなるように形成されている。この斜切円筒１６は、把持部１０の上面１１を下向きとなるようにテーブル上などに載置したときに前記保護部２０および刺激部３０がテーブル面に接触しないようにするためのものである。なお、前記斜切円筒１６のような筒部を把持部１０の下面１２にも突設してもよいし、この下面１２のみに突設してもよい。
【００３３】
前記開口１５と保護部２０との間の両側面には、指を掛けやすくするためそれぞれ凹状の彎曲部１７，１７が形成されている。
【００３４】
前記保護部２０は、口唇と歯茎部との間に位置する部位であり、このため、歯茎部の彎曲形状に沿うように左右方向に彎曲して両端側ほど前記刺激部３０に近接するように形成されており、しかも、口唇と歯茎部との間に位置したときにあまり違和感を感じないようにするため比較的薄肉に形成されている。
【００３５】
前記刺激部３０は、前記保護部２０の左右における中央部に連設され口腔内に挿入可能とされている。前記刺激部３０は、前記保護部２０から突設されている平板状の軸部３１と、この軸部３１の先端に連接されているスプーン本体３２とを有している。
【００３６】
前記スプーン本体３２は、上面３３が凸状、下面３４が凹状の曲面に形成されており、下面３４には、舌を刺激するための突起３５が突設されている。この突起３５は、本実施形態においては、とんぼ似の形状とされているが、特にこのような形状に限定されるものではなく、各種の形状を選択することができる。
【００３７】
つぎに、前述した構成からなる本実施形態の作用について説明する。
【００３８】
本実施形態の嚥下障害リハビリ訓練器１の把持部１０を嚥下障害者、介護者あるいはセラピストが把持し、保護部２０を口唇と歯茎部との間に位置するようにして刺激部３０のスプーン本体３２が舌上に位置するように嚥下障害者の口内に挿入する。このとき保護部２０は、刺激部３０が必要以上に口腔内の奥に挿入されてしまうの防止するとともに、介護者やセラピストが把持部１０を把持しているときに、嚥下障害者がセラピストの指を噛んでしまうのを防止することができる。
【００３９】
そして、把持部１０を上下に揺動させることにより、把持部１０を揺動させる力が保護部２０および刺激部３０に伝達され、保護部２０が口唇および歯茎部に対しそれぞれ摺動することにより口唇および歯茎部を刺激することになる。
【００４０】
一方、把持部１０を揺動する力が刺激部３０に伝達され、刺激部３０の凹曲面である下面３４が舌を押圧する。このとき、刺激部３０の下面３４には突起３５が突設されているので、舌をさらに良好に押圧することができる。
【００４１】
このようにして、保護部２０による口唇および歯茎部の刺激、ならびに刺激部３０による舌の刺激により、唾液の分泌を促進することができる。また、口唇、歯茎部および舌の動きを鍛えることにより一連の嚥下動作がスムーズに行われるように訓練することができる。
【００４２】
また、前述したように保護部２０があることにより事故を防止することができる。
【００４３】
さらに、嚥下障害者が自宅で容易に使用したり、介護者やセラピストが安全に使用することができる。
【００４４】
なお、本発明は、前述した実施の形態に限定されるものではなく、必要に応じて種々の変更が可能である。
【図面の簡単な説明】
【００４５】
【図１】本発明に係る嚥下障害リハビリ訓練器の実施形態を示す斜視図
【図２】図１の底面図
【図３】図２の右側面図
【図４】図２のIV−IV線による断面図
【図５】図２の端面図
【符号の説明】
【００４６】
１  嚥下障害リハビリ訓練器
１０  把持部
１１  上面
１２  下面  
１３，１５  開口
１４，１７  彎曲部
１６  斜切円筒
２０  保護部  
３０  刺激部
３１  軸部
３２  スプーン本体
３３  上面
３４  下面
３５  突起
【図１】
2007319303.tif 000003
【図２】
2007319303.tif 000004
【図３】
2007319303.tif 000005
【図４】
2007319303.tif 000006
【図５】
2007319303.tif 000007